【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
シラン／シラノール／シロキサン／ポリシロキサンを含む水性組成物を用いて、金属表面をコーティングする方法であって、
前記組成物が、本質的に
ａ）シラン、シラノール、シロキサン及びポリシロキサンから選択される、少なくとも１つの化合物ａ）（前記組成物は、対応するシラノールを基準に計算し、０．０２〜１ｇ／Ｌの範囲のシラン／シラノール／シロキサン／ポリシロキサンの含有量を有する）、及び
ｂ）チタン、ハフニウム、ジルコニウム、アルミニウム及び／又はホウ素を含む化合物から選択される、少なくとも２つの化合物ｂ）（前記組成物は、対応する金属の合計として計算し、０．１〜１５ｇ／Ｌの範囲の化合物ｂ）の含有量を有し、前記組成物は、アルミニウム、ホウ素、チタン、ハフニウム及びジルコニウムの錯フッ化物から選択される、少なくとも２つの錯フッ化物を含む）、及び任意に
ｃ）ランタノイドを含む、元素周期表の第１〜３及び５〜８副族、及び第２主族の金属のカチオンから選択される、少なくとも１つのタイプのカチオン、及び／又は少なくとも１つの対応する化合物（前記組成物は、０．０１〜６ｇ／Ｌの範囲のカチオン及び／又は対応する化合物ｃ）の含有量を有する）、及び／又は
ｅ）ｐＨに影響を及ぼす、少なくとも１つの物質、及び
ｆ）水、及び
ｇ）任意に少なくとも１つの有機溶媒
からなる方法。
【請求項２】
前記組成物が、さらに、
ｄ）モノマー、オリゴマー、ポリマー、コポリマー及びブロックコポリマーから選択される、少なくとも１つの有機化合物（対応するシラノールを基準に計算した、シラン／シラノール／シロキサン／ポリシロキサンをベースとする化合物ａ）と前記組成物中の、加えられた固体として計算した有機化合物ｄ）との質量比は、１：０．０５〜１：１２の範囲である）
を含む、請求項１記載の方法。
【請求項３】
前記組成物のｐＨが１．５より大きく、９より小さいことを特徴とする、請求項１又は２記載の方法。
【請求項４】
前記組成物が、いずれの場合にも、少なくとも１個のアミノ基、尿素基及び／又はウレイド基を有する、少なくとも１つのシラン及び／又は対応するシラノール／シロキサン／ポリシロキサンを含むことを特徴とする、請求項１から３までのいずれか１項に記載の方法。
【請求項５】
前記組成物が、チタンの錯フッ化物及びジルコニウムの錯フッ化物を有することを特徴とする、請求項１又は２記載の方法。
【請求項６】
前記組成物が、セリウム、クロム、鉄、カルシウム、コバルト、銅、マグネシウム、マンガン、モリブデン、ニッケル、ニオブ、タンタル、イットリウム、亜鉛、スズ及び他のランタノイドのカチオンから選択される、少なくとも１つのタイプのカチオンｃ）を含むことを特徴とする、請求項１から５までのいずれか１項記載の方法。
【請求項７】
前記組成物が、少なくとも１つのリン含有及び酸素含有化合物を含むことを特徴とする、請求項１から６までのいずれか１項記載の方法。
【請求項８】
前記組成物が、カルボン酸イオンから選択される少なくとも１つのタイプのアニオン、及び／又は少なくとも1つの対応する、解離していない、及び／又は部分的にのみ解離している化合物を含むことを特徴とする、請求項１から７までのいずれか１項記載の方法。
【請求項９】
前記組成物が、硝酸塩及び／又は亜硝酸塩を含むことを特徴とする、請求項１から８までのいずれか１項記載の方法。
【請求項１０】
前記組成物が、アルカリ金属イオン及びアンモニウムイオンから選択される少なくとも１つのタイプのカチオン、及び／又は少なくとも１つの対応する化合物を含むことを特徴とする、請求項１から９までのいずれか１項記載の方法。
【請求項１１】
前記組成物が、Ｆ-として計算し、０．００１〜３ｇ／Ｌの範囲の遊離のフッ化物含有量を有することを特徴とする、請求項１から１０までのいずれか１項記載の方法。
【請求項１２】
前記組成物が、少なくとも１つのフッ化物含有化合物及び／又はフッ化物アニオンを含むことを特徴とする、請求項１から１１までのいずれか１項記載の方法。
【請求項１３】
異なる金属材料の混合物が、同じ溶液中で水性コーティングを用いてコーティングされることを特徴とする、請求項１から１２までのいずれか１項記載の方法。
【請求項１４】
前記組成物が、チタンとして計算し、１〜２００ｍｇ／ｍ2の範囲のチタン及び／又はジルコニウム含有量のみに基づく層質量を有するコーティングを形成することを特徴とする、請求項１から１３までのいずれか１項記載の方法。
【請求項１５】
前記組成物が、対応する広範囲に縮合したポリシロキサンとして計算し、０．２〜１０００ｍｇ／ｍ2の範囲のシロキサン／ポリシロキサンのみに基づく層質量を有するコーティングを形成することを特徴とする、請求項１から１４までのいずれか１項記載の方法。
【請求項１６】
水性組成物を用いて製造されるコーティングを、次いで少なくとも１つのプライマー、ラッカー又は接着剤、及び／又はラッカー状有機組成物でコーティングし、少なくとも１つのこれらの他のコーティングが、任意に加熱及び／又は照射によって硬化されることを特徴とする、請求項１から１５までのいずれか１項記載の方法。
【請求項１７】
金属表面をコーティングするための水性組成物であって、本質的に、
ａ）シラン、シラノール、シロキサン及びポリシロキサンから選択される、少なくとも１つの化合物ａ）（前記組成物は、対応するシラノールを基準に計算し、０．０２〜１ｇ／Ｌの範囲のシラン／シラノール／シロキサン／ポリシロキサンの含有量を有する）、及び
ｂ）チタン、ハフニウム、ジルコニウム、アルミニウム及び／又はホウ素を含む化合物から選択される、少なくとも２つの化合物ｂ）（前記組成物は、対応する金属の合計として計算し、０．１〜１５ｇ／Ｌの範囲の化合物ｂ）の含有量を有し、前記組成物は、アルミニウム、ホウ素、チタン、ハフニウム及びジルコニウムの錯フッ化物から選択される、少なくとも２つの錯フッ化物を含む）、及び任意に
ｃ）ランタノイドを含む、元素周期表の第１〜３及び５〜８副族、及び第２主族の金属のカチオンから選択される、少なくとも１つのタイプのカチオン、及び／又は少なくとも１つの対応する化合物（前記組成物は、０．０１〜６ｇ／Ｌの範囲のカチオン及び／又は対応する化合物ｃ）の含有量を有する）、及び／又は
ｅ）ｐＨに影響を及ぼす、少なくとも１つの物質、及び
ｆ）水、及び
ｇ）任意に少なくとも１つの有機溶媒
からなることを特徴とする、金属表面をコーティングするための水性組成物。
【請求項１８】
前記組成物が、さらに、
ｄ）モノマー、オリゴマー、ポリマー、コポリマー及びブロックコポリマーから選択される、少なくとも１つの有機化合物（対応するシラノールを基準に計算した、シラン／シラノール／シロキサン／ポリシロキサンをベースとする化合物ａ）と前記組成物中の、加えられた固体として計算した有機化合物ｄ）との質量比は、１：０．０５〜１：１２の範囲である）
を含む、請求項１７記載の金属表面をコーティングするための水性組成物。
【請求項１９】
自動車産業、鉄道車両、航空産業及び宇宙産業、装置工学、機械工学、建築工業、家具製造産業、中央分離帯、照明器具、外形、外壁又は金属製品の製造、車体又は車体の一部、個々の部品又は予め組み立てられた／接続した要素の製造、好ましくは、自動車又は航空産業、又は電気製品又は装置、特に家庭用品、制御装置、試験装置又は構造成分の製造における、請求項１から１６までのいずれか１項記載の方法によってコーティングされた金属基体の使用法。